(57)【要約】      （修正有）【課題】仮設装置の設置および他監視器具での代替監視不要で入力装置を更新する。【解決手段】ある値が入力される複数の入力装置２−１〜４のうち更新予定の入力装置２−１と演算装置３との間の接続を切り離し、入力装置模擬装置８を演算装置３に接続し、入力装置模擬装置８が模擬信号を演算装置３に出力し、演算装置３は入力装置模擬装置８の模擬信号により演算し、入力装置模擬装置８と演算装置３との間の接続を切り離し、更新した入力装置を前記演算装置３に接続する。【選択図】図１
2010267119.tif 000002
【特許請求の範囲】
【請求項１】
ある値が入力される複数の入力装置のうち更新予定の入力装置と演算装置との間の接続を
切り離し、
入力装置模擬装置を前記演算装置に接続し、
前記入力装置模擬装置が模擬信号を前記演算装置に出力し、
前記演算装置は前記入力装置模擬装置の模擬信号により演算し、
前記入力装置模擬装置と前記演算装置との間の接続を切り離し、
更新した入力装置を前記演算装置に接続することを特徴とする入力装置の更新方法。
【請求項２】
前記入力装置模擬装置の模擬信号があらかじめ設定された固定値であることを特徴とする
請求項１記載の入力装置の更新方法。
【請求項３】
前記入力装置模擬装置を前記演算装置および更新予定でない入力装置に接続し、
前記入力装置模擬装置が前記更新予定でない入力装置から入力された信号を模擬信号とし
て前記演算装置に出力することを特徴とする請求項１記載の入力装置の更新方法。
【請求項４】
前記入力装置模擬装置を前記演算装置および更新予定でない複数の入力装置に接続し、
前記入力装置模擬装置が前記更新予定でない複数の入力装置から入力された信号に基づい
た値を模擬信号として前記演算装置に出力することを特徴とする請求項１記載の入力装置
の更新方法。 
【発明の詳細な説明】
【技術分野】
【０００１】
本発明は、検出器で検出された値等が入力される入力装置の更新方法に関する。
【背景技術】
【０００２】
従来の入力装置の更新方法を図４に示す。
【０００３】
検出器１−１〜４は同一プロセス量を検出する検出器であり、検出された値は入力装置２
−１〜４に入力される。
【０００４】
入力装置２−１〜４と演算装置３とが接続されており、演算装置３に設置された判定ロジ
ック３−１に入力装置２−１〜４の出力が入力される。
【０００５】
判定ロジック３−１にて演算された結果をポンプ４−１，弁４−２，表示器４−３に出力
し、プラント運転を実施している。
【０００６】
入力装置２−１〜４の更新作業においては、演算装置３の電源をすべて切り、入力装置２
−１〜４の更新を実施していた。
【０００７】
その間、演算装置３は演算しないため、ポンプ４−１，弁４−２，表示器４−３は動作し
ない、または演算装置３の電源を切った時のプラント状態を保持していることから、仮設
装置６の設置を行い、入力装置２−１〜４の更新を実施していた（例えば、特許文献１参
照）。
【先行技術文献】
【特許文献】
【０００８】
【特許文献１】特開２００８−１９６８９４号公報
【発明の概要】
【発明が解決しようとする課題】
【０００９】
上述した入力装置の更新方法においては、演算装置３の電源をすべて切り作業を行うため
、ポンプ４−１，弁４−２をプラント状態により人間系で容易に操作出来るよう、仮設装
置６の設置が必要であり、仮設装置６の設置、ケーブル繋ぎ換え時間を要すること、各作
業によるヒューマンエラーが発生する可能性がある。
【００１０】
また、更新を実施している時は表示器４−３の表示が正常状態でないため、他監視器具で
の代替監視する必要であり、不慣れな代替監視でヒューマンエラーが発生する可能性があ
る。
【００１１】
本発明は上述した問題を解決するために、仮設装置の設置および他監視器具での代替監視
不要で入力装置を更新することを目的とする。
【課題を解決するための手段】
【００１２】
本発明に係る入力装置の更新方法は、ある値が入力される複数の入力装置のうち更新予
定の入力装置と演算装置との間の接続を切り離し、入力装置模擬装置を演算装置に接続し
、入力装置模擬装置が模擬信号を演算装置に出力し、演算装置は入力装置模擬装置の模擬
信号により演算し、入力装置模擬装置と演算装置との間の接続を切り離し、更新した入力
装置を演算装置に接続することを特徴とするものである。
【発明の効果】
【００１３】
本発明によれば、仮設装置の設置および他監視器具での代替監視が不要で入力装置を更新
することができる。
【図面の簡単な説明】
【００１４】
【図１】本発明における実施例１に係る入力装置の更新方法を示す図。
【図２】本発明における実施例２に係る入力装置の更新方法を示す図。
【図３】本発明における実施例３に係る入力装置の更新方法を示す図。
【図４】従来の入力装置の更新方法を示す図。
【発明を実施するための形態】
【００１５】
以下、本発明に係る入力装置の更新方法の実施形態について、図面を参照して説明する。
【実施例１】
【００１６】
図１は、本発明における実施例１に係る入力装置の更新方法を示す図であって、従来の入
力装置の更新方法を示す図３と同一符号は、同一部分又は相当部分を示す。実施例１は図
３において入力装置模擬装置８を付加した構成である。
【００１７】
入力装置２−１を更新する作業について説明する。
【００１８】
更新する入力装置２−１と演算装置３との間の接続を切り離す。入力装置模擬装置８を演
算装置３に接続する。入力装置模擬装置８は、あらかじめ設定された固定値を模擬信号と
して演算装置３に出力することで更新中の入力装置２−１の入力模擬を行う。入力装置模
擬装置８の模擬信号により、演算装置３は演算を継続する。入力装置２−１を新しい入力
装置（図示ぜず）に更新する。入力装置模擬装置８と演算装置３との間の接続を切り離す
。新しい入力装置を演算装置３に接続する。
【００１９】
本実施例によれば、入力装置模擬装置８が更新中の入力装置２−１の入力装置の模擬を行
うので、仮設装置の設置および他監視器具での代替監視不要で入力装置２−１を更新する
ことができる。
【００２０】
なお、入力装置２−２〜４の更新作業の場合は、入力装置２−２〜４と演算装置３との間
の接続を切り離して入力装置模擬装置８を演算装置３に接続すればよい。
【実施例２】
【００２１】
次に図２を用いて実施例２の説明を行う。実施例２は実施例１の入力装置模擬装置８と更
新対象でない入力装置２−２〜４のうち任意の入力装置とを接続する。
【００２２】
ここでは、入力装置模擬装置８と入力装置２−２とを接続した場合の入力装置２−１を更
新する作業について説明する。
【００２３】
入力装置模擬装置８は、接続された入力装置２−２から入力された信号を模擬信号として
演算装置３に出力することで更新中の入力装置２−１の入力装置の模擬を行う。入力装置
模擬装置８の模擬信号により、演算装置３は演算を継続させて、入力装置２−１を更新す
ることができる。
【００２４】
本実施例によれば、入力装置模擬装置８が更新中の入力装置２−１の入力装置の模擬を行
うので、仮設装置の設置および他監視器具での代替監視不要で入力装置２−１を更新する
ことができる。
【００２５】
また、入力装置模擬装置８の模擬信号は固定値ではなく、プラント状態の変化に対応して
いるので、プラント状態の変化に対応したプラント運転・監視が可能となる。
【実施例３】
【００２６】
次に図３を用いて実施例３の説明を行う。実施例３は実施例２の入力装置模擬装置８に選
択回路８−１を備え、選択回路８−１と更新対象でない入力装置２−２〜４のうち複数の
入力装置とを接続する。
【００２７】
ここでは、選択回路８−１と入力装置２−２〜４とを接続した場合の入力装置２−１を更
新する作業について説明する。
【００２８】
選択回路８−１は、接続された入力装置２−２〜４から入力された信号の平均値、中間値
、高低値等の選択設定を行い、選択された値を模擬信号として演算装置３に出力すること
で更新中の入力装置２−１の入力装置の模擬を行う。入力装置模擬装置８の模擬信号によ
り、演算装置３は演算を継続させるので、入力装置２−１を更新することができる。
【００２９】
本実施例によれば、入力装置模擬装置８が更新中の入力装置２−１の入力装置の模擬を行
うので、仮設装置の設置および他監視器具での代替監視不要で入力装置２−１を更新する
ことができる。
【００３０】
また、入力装置模擬装置８の模擬信号は固定値ではなく、プラント状態の変化に対応して
いるので、プラント状態の変化に対応したプラント運転・監視が可能となる。
【００３１】
さらに、入力装置模擬装置８の模擬信号は更新対象でない複数の入力装置２−２〜４の信
号を使用して選択回路８−１にて選択する信号を模擬信号とすることにより信頼性を向上
させることができる。
【００３２】
なお、以上の説明は単なる例示であり、本発明は上述の実施の形態に限定されず、様々な
形態で実施することができる。
【符号の説明】
【００３３】
１−１〜４・・・・検出器
２−１〜４・・・・入力装置
３・・・・・・・・演算装置
３−１・・・・・・判定ロジック
４−１・・・・・・ポンプ
４−２・・・・・・弁
４−３・・・・・・表示器
６・・・・・・・・仮設装置
８・・・・・・・・入力装置模擬装置
８−１・・・・・・選択回路
【図１】
2010267119.tif 000003
【図２】
2010267119.tif 000004
【図３】
2010267119.tif 000005
【図４】
2010267119.tif 000006